(57)【要約】【課題】導光管を用いず安価な構造にて発光表示部を形成する空気清浄機を提供する。【解決手段】操作パネルベースと、操作パネルベース上に貼付されるシートを備えた空気清浄機において、操作パネルベースは発光表示部を有し、発光表示部は、操作パネルベースの上面から下に凹んだ形で設けられる左右細長形状の凹部と凹部の内側に突出する部材と凹部の両端部に設けられる発光源とからなり、前記部材の上部は前記操作パネルベースの上面と同じ高さであることを特徴とする。【選択図】  図２
2012037075.tif 000002
【特許請求の範囲】
【請求項１】
操作パネルベースと、該操作パネルベース上に貼付されるシートを備えた空気清浄機において、
前記操作パネルベースは発光表示部を有し、
該発光表示部は、前記操作パネルベースの上面から下に凹んだ形で設けられる左右細長形状の凹部と、該凹部の内側に突出する部材と、前記凹部の両端部に設けられる発光源と、からなり、
前記部材の上部は前記操作パネルベースの上面と同じ高さであることを特徴とする空気清浄機。
【請求項２】
操作パネルベースと、該操作パネルベース上に貼付されるシートを備えた空気清浄機において、
前記操作パネルベースは発光表示部を有し、
該発光表示部は、前記操作パネルベースの上面から下に凹んだ形で設けられる凹部と、前記凹部内の両端部に設けられる発光源と、からなり、
前記凹部は前記シートの撓みを防止する部材を有することを特徴とする空気清浄機。
【請求項３】
請求項１に記載の空気清浄機において、
前記部材は前記凹部の内側で前後方向から突出していることを特徴とする空気清浄機。
【請求項４】
請求項１に記載の空気清浄機において、
前記部材は前記凹部の略中央部に位置することを特徴とする空気清浄機。
【請求項５】
請求項１に記載の空気清浄機において、
前記部材は前記凹部の底面から前記操作パネルベースの表面に渡って設けられていることを特徴とする空気清浄機。
【請求項６】
請求項１に記載の空気清浄機において、
前記部材は前記凹部の前後方向に渡って設けられていることを特徴とする空気清浄機。
【請求項７】
請求項１または２に記載の空気清浄機において、
前記凹部の底面は勾配を備え、前記勾配は前記凹部の左右方向から前記凹部の略中央部に向かって高くなるものであることを特徴とする空気清浄機。
【請求項８】
請求項１または２に記載の空気清浄機において、
前記凹部の底面は勾配を備え、前記勾配は前記発光源が設けられる一端部から他端部に向かって高くなるものであることを特徴とする空気清浄機。
【請求項９】
請求項７または８に記載の空気清浄機において、
前記勾配の頂点は前記操作パネルベース上面以下に位置することを特徴とする空気清浄機。
【請求項１０】
請求項１または２に記載の空気清浄機において、
前記発光源は前記空気清浄機内を通過した空気の汚れ度合いに応じて発光することを特徴とする空気清浄機。
【請求項１１】
請求項１または２に記載の空気清浄機において、
前記凹部の前後方向縦断面形状が矩形状，円形状、あるいは三角形状であることを特徴とする空気清浄機。
【請求項１２】
請求項１乃至１１の何れかに記載の空気清浄機において、
前記発光源にはＬＥＤを用いることを特徴とする空気清浄機。
【発明の詳細な説明】
【技術分野】
【０００１】
本発明は空気の汚れ度合いを表示する発光表示部を備えた空気清浄機に関するものである。
【背景技術】
【０００２】
浮遊塵埃やたばこの煙などを捕集する空気清浄機において、空気の汚れ度合いに応じ色相変更させて表示する発光表示部が利用されている。
【０００３】
発光表示部には、特許文献１に示すように細長形状の透光体両端から照射するＬＥＤを設けた発光表示装置や同様の構造で特許文献２に示すように反射体を設けた構造などが提案されている。
【先行技術文献】
【特許文献】
【０００４】
【特許文献１】特開２００３−７４９５１号公報
【特許文献２】特開２００５−３３３４号公報
【発明の概要】
【発明が解決しようとする課題】
【０００５】
特許文献１や特許文献２の公知例では何れも対向するＬＥＤの間に導光体として機能する部材が介在し、発光装置が構成されている。導光体として機能する部材の中には導光管がある。
【０００６】
導光管は透明樹脂である必要があり、試作・設計の段階で最終部品に近い物性のサンプルを入手することは困難であり、金型で製作した成形品を試作品として適用する必要がある。この試作品で所望の光量・色相が得られなければ金型修正し、所望の発光状態としなければならず時間と費用が多くかかる。他に導光体として機能する部材も同様の課題が生じる。
【０００７】
また、導光体として機能する部材がない場合、発光表示部は凹部がそのまま空くため、凹部の上面にシートを貼付すると撓む恐れがある。
【課題を解決するための手段】
【０００８】
上記従来の課題を解決するため、本発明では、操作パネルベースと、操作パネルベース上に貼付されるシートを備えた空気清浄機において、操作パネルベースは発光表示部を有し、発光表示部は、操作パネルベースの上面から下に凹んだ形で設けられる左右細長形状の凹部と、凹部の内側に突出する部材と、凹部の両端部に設けられる発光源と、からなり、部材の上部は操作パネルベースの上面と同じ高さであることを特徴とする。
【０００９】
または、操作パネルベースと、操作パネルベース上に貼付されるシートを備えた空気清浄機において、操作パネルベースは発光表示部を有し、発光表示部は、操作パネルベースの上面から下に凹んだ形で設けられる凹部と、凹部内の両端部に設けられる発光源と、からなり、凹部は前記シートの撓みを防止する部材を有することを特徴とする。
【発明の効果】
【００１０】
本発明によれば、操作パネルベースと、操作パネルベース上に貼付されるシートを備えた空気清浄機において、操作パネルベースに発光表示部を設け、発光表示部は操作パネルベースの上面から下に凹んだ形で設けられる左右細長形状の凹部と凹部の内側に突出する部材と凹部の両端部に設けられる発光源とから構成し、部材の上部を操作パネルベースの上面と同じ高さとなるようにすることで、導光管や、導光体として機能する部材を使用しないため、安価かつ簡便な発光表示部を形成でき、更に発光表示部にシートを貼付した際にシートの変形が抑制されるという効果が得られる。
【００１１】
または、操作パネルベースと、操作パネルベース上に貼付されるシートを備えた空気清浄機において、操作パネルベースに発光表示部を設け、発光表示部は操作パネルベースの上面から下に凹んだ形で設けられる凹部と凹部内の両端部に設けられる発光源とからなり、凹部は前記シートの撓みを防止する部材を有することにより、導光管や、導光体として機能する部材を使用しないため、安価かつ簡便な発光表示部を形成でき、更に発光表示部にシートを貼付した際にシートの変形が抑制されるという効果が得られる。
【図面の簡単な説明】
【００１２】
【図１】本発明の一実施例の空気清浄機１の外観斜視図である。
【図２】図２は図１のパネル２を取り外した状態の空気清浄機１の外観斜視図である。
【図３】本発明の一実施例の操作パネルベース５の平面図である。
【図４】操作パネルシート１２を図３の操作パネルシート貼付面２３に添付した平面図である。
【図５】図４の発光表示部４の平面図である。
【図６】本発明の一実施例の操作パネルベース５の平面図である。
【図７】図２，図３に示す操作パネルベース５の発光表示部４のＡ−Ａ′断面図の一実施例である。
【図８】図７の他の実施例である。
【図９】図７の他の実施例である。
【図１０】発光表示部４に基板７が取り付けられた状態の操作パネルベース５の下側平面図である。
【図１１】図１０のＣ−Ｃ′断面図である。
【図１２】図３の別実施例である。
【図１３】図１２のＡ−Ａ′断面図である。
【図１４】操作パネルシート１２を図１２の操作パネルシート貼付面２３に添付した平面図である。
【図１５】図１４の発光表示部４の平面図である。
【図１６】図３の別実施例である。
【図１７】図１６のＡ−Ａ′断面図である。
【図１８】他の実施例のＡ−Ａ′断面図である。
【図１９】（ａ）図４，図１５，図１６のＤ−Ｄ′断面図である。（ｂ）図１９（ａ）の他の実施例である。（ｃ）図１９（ａ）の他の実施例である。
【発明を実施するための形態】
【００１３】
以下、本発明の一実施例について図面を用いて詳細に説明する。
【実施例１】
【００１４】
図１は本発明の一実施例の空気清浄機１の外観斜視図である。
【００１５】
図１に示すように、空気清浄機１の前面には着脱可能なパネル２が設けられている。また、空気清浄機１の上面には操作パネルベース５と、排気口３が設けられている。操作パネルベース５は排気口３よりも空気清浄機１の前部に位置するよう設けられている。また、操作パネルベース５には操作ボタン２０と、表示体２２と、発光表示部４が設けられている。これらは操作パネルベース５を空気清浄機１に設けた際に、空気清浄機１の前から操作ボタン２０，表示体２２，発光表示部４の順に位置するよう設けられている。
【００１６】
図２は図１のパネル２を取り外した状態の空気清浄機１の外観斜視図である。
【００１７】
図２に示すように、空気清浄機１の前面には清浄フィルタ２１とダストセンサ２６が設けられている。ダストセンサ２６は清浄フィルタ２１の下部に位置するよう設けられている。パネル２を空気清浄機１に取り付けた場合は、パネル２の後方に清浄フィルタ２１やダストセンサ２６が位置する。これは、清浄フィルタ２１の破損を防ぐためである。ダストセンサ２６により、たばこの煙やハウスダスト，花粉など、空気中の粉塵量を検知する。清浄フィルタ２１の交換，掃除などのメンテナンスは、パネル２を空気清浄機１の前面から取り外して行う。
【００１８】
空気清浄機１内部には吸引ファン（図示せず）を備えており、パネル２の周囲から空気を空気清浄機１内に吸い込んで、清浄フィルタ２１を通過させ、排気口３から空気清浄機１外部に排気する。空気清浄機１は、このように空気を循環させて、空気を浄化する。
【００１９】
さらに、空気清浄機１には制御部（図示せず）が備えられており、操作ボタン２０により指示された動作に従って、前記吸引ファンの動作を制御する。本実施例において、操作ボタン２０は空気清浄動作，加湿動作，除湿動作などそれぞれの動作に対応するよう複数設けられている。使用者は、表示体２２により動作状態を確認することができる。表示体２２の発光源にはＬＥＤや白熱電球などが用いられる。
【００２０】
図３，図６は本発明の一実施例の操作パネルベース５の平面図である。発光表示部４は操作パネルベース５上の後方に設けられている。本実施例においては、図３に示すように発光表示部４の平面形状は左右横長形状であり、かつ略中央部が後方に凸な曲線形状をしたアーチ状である。ただし、発光表示部４の平面形状は図６に示すような横長形状の矩形などでもよい。使用者は、発光表示部４により空気の汚れ度合いを確認することができる。６は発光源であり本実施例においては発光表示部４の両端に設けられている。１１は補強リブであり、発光表示部４の略中央部に設けられている。また、２３は操作パネルシート貼付面である。図４は操作パネルシート１２を操作パネルシート貼付面２３に添付した図であり、図５は操作パネルシート１２を貼付した状態における発光表示部４の平面図である。補強リブ１１上の操作パネルシート１２の印刷デザインは光を透過しない不透過部１４とし、補強リブ１１がない部分などを発光透過部１３とする。図５，図６では斜線で示した部分が不透過部１４である。光を透過させない手段としては操作パネルシート１２の不透過部１４を黒ベタで印刷する方法が挙げられる。ベタは表面の色相である必要はなく、中間層の印刷色とすれば表面のデザイン色は任意に決定することができる。光を透過させる方法としては印刷なしとして透明な操作パネルシート１２とすることが挙げられるほか、メジウムなどの処理を施す方法もある。メジウムを適用すれば光を効果的に拡散することができる。斜線部が操作パネルシート１２である。図２に示す発光表示部４の発光源６にはＬＥＤや白熱電球などを用いることができる。本実施例では、発光源６に青色と赤色で発光する２色ＬＥＤ１６を用いた場合について述べる。
【００２１】
図７は図２，図３に示す操作パネルベース５の発光表示部４のＡ−Ａ′断面図の一実施例である。
【００２２】
発光表示部４は上側と左右両端部が開口する凹部を有する凹型形状をしている。操作パネルベース５の上面からみると、発行表示部４の凹部は操作パネルベース５の上面から下に凹んだ形で設けられている。すなわち、発光表示部４の凹部底面の高さは操作パネルベース５の上面の高さ以下である。発光表示部４の両端部は金型上下の押切り形状８で形成され、フック９を形成する。フック９は操作パネルベース５の下面から延伸して形成されている。２色ＬＥＤ１６は基板７に実装されており、２色ＬＥＤ１６を発光表示部４の端部に取り付ける際にはフック９と操作パネルベース５の下面との間で基板７が保持される。
【００２３】
補強リブ１１は、発光表示部４の略中央部で前後方向に渡って設けられる。よって、発光表示部４では操作パネルベース５が凹んだ形になっているが、発光表示部４の略中央部の補強リブ１１がある箇所においては操作パネルベース５は凹まず、前後方向につながった形になっている。また、補強リブ１１は、発光表示部４の凹部底面から操作パネルベース５上面位置まで上下方向に渡って設けられている。よって、補強リブ１１により、発光表示部４は左右に２分されている状態となる。発光表示部４内に補強リブ１１を設けることにより、操作パネルベース５上面に操作パネルシート１２を貼付した場合に発光表示部４内への操作パネルシート１２の撓みなどの変形が抑制される。また、補強リブ１１を上下前後に渡って設けているため、補強リブ１１で２色ＬＥＤ１６からの光が補強リブ１１で反射する。補強リブ１１の角度や材質によっては発光表示部４全体としてほぼ均一な光量を得ることも可能である。
【００２４】
また、発光表示部４の凹部底面には、発光表示部４の端部から発光表示部４の略中心に向かって操作パネルベース５上面側に近づくような勾配１５が設けられている。勾配１５は、凹部の左右方向から凹部の略中央部に向かって高くなるものである。勾配１５の頂点は、操作パネルベース５の上面以下に位置する。これにより２色ＬＥＤ１６からの光が勾配１５に反射する。勾配１５の角度、凹部の材質などによっては遠ざかる発光表示部４の中心付近においても薄暗くなることなく、全体として左右方向に均一の光量とすることができる。
【００２５】
本実施例においては、発光表示部４の両端部における凹部の深さは９.９mmであり、略中央部の凹部の深さは３.６mmであるよう勾配１５が設けられている。そのため、発光表示部４の略中央部に設けられた補強リブ１１の高さは６.３mmとなる。別実施例にて略中央部の高さが０であり補強リブ１１の高さが０となる勾配１５を有するもの（図８参照）や、略中央部の高さが９.９となり補強リブ１１の高さが９.９となるもの（図９参照）も挙げられる。勾配１５があるほど中央部が薄暗くなり、勾配１５がなければ略中央部の補強リブ１１が２色ＬＥＤ１６から照射される光を反射し、発光表示部４全体を拡散することになる。
【００２６】
図１０は、発光表示部４に基板７が取り付けられた状態の操作パネルベース５の下側平面図である。図１１は図１０のＣ−Ｃ′断面図である。操作パネルベース５の下面にはリブ１０及びリブ２４も設けられており、基板７はリブ１０及びリブ２４で位置決めされる。リブ２４には基板７を差込む溝が設けられている。発光表示部４に２色ＬＥＤ１６を取り付ける場合、先ず基板７をリブ２４の溝に差込み、そのリブ２４の溝を支点としてリブ１０（突起）を乗り越え基板７が移動され、最後にフック９で基板７を保持する。これにより、２色ＬＥＤ１６を発光表示部４に取り付けると共に基板７の脱落を防止している。発光表示部４の両端に配置された２色ＬＥＤ１６は、空気の汚れ度合いによって色相が変化するよう制御され使用者に空気の汚れ度合いを知らせる。
【００２７】
例えば２色ＬＥＤ１６が青色の場合には空気がきれいな状態であり、赤色の場合には汚れており、２色ＬＥＤ１６の２色が同時発光している場合には紫色となりその中間というように表示できる。２色ＬＥＤ１６は操作パネルベース５平面部（操作パネルシート貼付面２３）に対して２色ＬＥＤ１６の赤色発光部分青色発光部分の順に垂直になるようあるいは青色発光部分赤色発光部分の順に垂直になるよう配置されているため青・赤の２色ＬＥＤ１６が同時に発光する場合、操作パネルベース５の上面側から発光表示部４を見ると混色され紫色となるように見える。
【００２８】
また、発光表示部４の前後方向の幅を広ければ視認性が良好となる。発光表示部４凹部の開口部が広がることとなり、操作パネルベース５上に操作パネルシート１２が貼付されている場合、操作パネルシート１２の変形が懸念されるが、補強リブ１１を設ける構造により、シートの変形量が少ないものを提供できる。
【実施例２】
【００２９】
以下、実施例２を記載するが、空気清浄機１の基本的な構造は実施例１と同様である。
【００３０】
図１２〜図１５に示すように、実施例２では、補強リブ２５は、発光表示部４の前後部から発光表示部４の内側に向かって複数突出する突起形状となっている。また、補強リブ２５は、発光表示部４内では上下方向に渡って設けられている。補強リブ２５により発光表示部４内への操作パネルシート１２の撓みなどの変形が抑制される。補強リブ２５が前後部内側に突出する突起形状となっているだけであり、前後方向に渡って設けられていないのは、２色ＬＥＤ１６からの光により発光表示部４全体を光らせるためである。
【実施例３】
【００３１】
以下、実施例２を記載するが、空気清浄機１の基本的な構造は実施例１と同様である。
【００３２】
図１６，図１７に示すように補強リブ２５を前後方向に渡って設け上下には渡らないような形状にすることでも操作パネルシート１２の撓みなどの変形は抑制され、発光表示部４全体が光るようにすることができる。
【００３３】
実施例２，３では補強リブ２５を複数設けているがこれに限らず１つでもよい。この場合、シートの撓みを防止する効果は補強リブ２５を複数設けたものよりも小さくなるが、より均一な光量を得ることができる。
【実施例４】
【００３４】
上記までに記載の実施例では発光表示部４の両端部に２色ＬＥＤ１６を配置したが、図１８に示すように２色ＬＥＤ１６を発光表示部４の一端のみに配置してもよい。
【００３５】
この場合、発光表示部４の底面部は、図４，図１１に示すように２色ＬＥＤ１６のある発光表示部４の両端部から発光表示部４の略中央に向かって勾配１５を設けるのではなく、ＬＥＤ６が無い側が操作パネルベース５の上面に近づくような、発光表示部４の一端部から相対する端部までの勾配１５が設けられる形となっている。本構成によりＬＥＤの分だけ安価な発光表示部４を構成できる。
【実施例５】
【００３６】
図１９（ａ）（ｂ）は図４，図１５，図１６のＤ−Ｄ′断面図である。図１９（ａ）（ｂ）に示すように発光表示部４の底部断面を半円状や三角形状にすることによりに光の状態を変更することも可能となる。これによりあえて前後方向にムラのある光を出すこともできるし、前後方向に均一な光量を得る調整が可能となる。
【００３７】
上記構成により導光管体がない安価な構造の発光表示部となる。
【符号の説明】
【００３８】
１  空気清浄機
２  パネル
３  排気口
４  発光表示部
５  操作パネルベース
６  発光源
７  基板
８  押切り形状
９  フック
１０，２４  リブ
１１，２５  補強リブ
１２  操作パネルシート
１３  発光透過部
１４  不透過部
１５  勾配
１６  ２色ＬＥＤ
２０  操作ボタン
２１  清浄フィルタ
２２  表示体
２３  操作パネルシート貼付面
２６  ダストセンサ
【図１】
2012037075.tif 000003
【図２】
2012037075.tif 000004
【図３】
2012037075.tif 000005
【図４】
2012037075.tif 000006
【図５】
2012037075.tif 000007
【図６】
2012037075.tif 000008
【図７】
2012037075.tif 000009
【図８】
2012037075.tif 000010
【図９】
2012037075.tif 000011
【図１０】
2012037075.tif 000012
【図１１】
2012037075.tif 000013
【図１２】
2012037075.tif 000014
【図１３】
2012037075.tif 000015
【図１４】
2012037075.tif 000016
【図１５】
2012037075.tif 000017
【図１６】
2012037075.tif 000018
【図１７】
2012037075.tif 000019
【図１８】
2012037075.tif 000020
【図１９】
2012037075.tif 000021